(57)【特許請求の範囲】
【請求項１】
アッパー３およびソール８を有する靴であって、前記靴は、
前記アッパー３の一部を構成し足の内側面を覆うように適合された柔軟材３０と、
前記柔軟材３０よりも伸び難く前記柔軟材の表面３Ｆに付着された第１および第２補強部１，２と、を備え、
前記柔軟材３０は前記第１および第２補強部１，２で補強された被補強エリア４を包含し、
前記第１補強部１は前記アッパー３の前記ソール８との境界部３８から上方に向かって連続的または断続的に帯状または線状に延び、
前記第２補強部２は前記第１補強部１の後方Ｒに配置され、前記アッパー３の前記ソール８との前記境界部３８から上方に向かって連続的または断続的に帯状または線状に延び、
前記エリア４は前記第１補強部の後縁１Ｅに沿った第１包絡線１Ｌと、前記第２補強部の前縁２Ｅに沿った第２包絡線２Ｌで定義され、
前記エリア４を前記第１包絡線で前縁４Ｆが定義される第１部４１と前記第２包絡線で後縁４Ｒが定義される第２部４２とに分ける仮想の第１中心ラインＣ１に沿って前記エリア４が延び、
前記エリア４は上端部４３と下端部４４と前記上端部４３と下端部４４との間の中間部４５とを包含し、
前記第１中心ラインＣ１の延びる方向Ｄ１に直交する方向Ｄ２の前記エリアの幅４Ｗが、前記中間部４５において最大で、かつ、前記中間部４５から前記上端部４３に向かって前記エリアの幅４Ｗが徐々に小さく、かつ、前記中間部４５から前記下端部４４に向かって前記エリアの幅４Ｗが徐々に小さく、
前記エリア４の前記上端部４３が前記下端部４４よりも前方Ｆに配置されている。
【請求項２】
請求項１の靴において、
前記エリア４において前記柔軟材の少なくとも表面材は上下方向Ｙおよび靴の前後方向Ｘに伸縮可能なメッシュ状の生地を含む。
【請求項３】
請求項２の靴において、
前記メッシュ状の生地は前記上下方向Ｙよりも前記前後方向Ｘに伸縮し易い。
【請求項４】
請求項１，２もしくは３の靴において、
前記仮想の第１中心ラインＣ１が延びる方向Ｄ１の前記エリア４の長さ４Ｌが、前記エリア４の最大の前記幅４Ｗよりも大きい。
【請求項５】
請求項１〜４のいずれか１項の靴において、
前記第１中心ラインＣ１と前記ソールの接地面８Ｆとのなす角αが３０°〜６０°に設定されている。
【請求項６】
請求項１〜５のいずれか１項の靴において、
前記第１および第２補強部１，２の各上端１３，２３はシューレースが係合する係合部Ｈに隣接ないし連なり、前記第１および第２補強部１，２の各下端１４，２４は前記ソール８の上面８１に隣接ないし連なる。
【請求項７】
請求項１〜６のいずれか１項の靴において、
側面視において、前記仮想の第１中心ラインＣ１が第１中足骨Ｂ１の骨体Ｂ１１に交差するように適合された状態で、前記第１および第２補強部１，２が配置されている。
【請求項８】
請求項１〜７のいずれか１項の靴において、
前記第１および第２補強部の各下端１４，２４が足の内側のアーチの部位に適合され、前記第１補強部の上端１３が母趾球Ｏの部位または母趾球Ｏよりも後方Ｒとなるように適合され、
前記第１補強部の前記上端１３が前記第１補強部の前記下端１４よりも前方Ｆに配置され、および／または前記第２補強部の上端２３が前記第２補強部の前記下端２４よりも前方Ｆに配置されている。
【請求項９】
請求項１〜８のいずれか１項の靴において、
前記第１および第２補強部の各下端１４，２４が前記靴の前後方向Ｘの先端ＦＥから前記靴の全長の４０％〜６０％の範囲に配置され、
前記第１および第２補強部の各上端１３、２３が前記先端ＦＥから前記靴の全長の２５％〜４５％の範囲に配置され、
前記第１補強部の上端１３が前記第１補強部の下端１４よりも前方Ｆに配置され、かつ、前記第２補強部の上端２３が前記第２補強部の下端２４よりも前方Ｆに配置されている。
【請求項１０】
請求項１〜８のいずれか１項の靴において、
前記第１および第２補強部の各下端１４，２４が前記靴の前後方向Ｘの先端ＦＥから前記靴の全長の４５％〜５５％の範囲に配置され、
前記第１および第２補強部の各上端１３、２３が前記先端ＦＥから前記靴の全長の３０％〜４０％の範囲に配置され、
前記第１補強部の上端１３が前記第１補強部の下端１４よりも前方Ｆに配置され、かつ、前記第２補強部の上端２３が前記第２補強部の下端２４よりも前方Ｆに配置されている。
【請求項１１】
アッパー３およびソール８を有する靴であって、前記靴は、
前記アッパー３の一部を構成し足の内側面を覆うように適合された柔軟材３０と、
前記柔軟材３０よりも伸び難く前記柔軟材の表面３Ｆに付着された第１および第２補強部１，２と、を備え、
前記第１補強部１は前記アッパー３の前記ソール８との境界部３８から上方に向かって連続的または断続的に帯状または線状に延び、
前記第２補強部２は前記第１補強部１の後方Ｒに配置され、前記アッパー３の前記ソール８との前記境界部３８から上方に向かって連続的または断続的に帯状または線状に延び、
前記第１補強部の後縁１Ｅに沿った第１包絡線１Ｌは前記境界部３８よりも上方において、かつ、前記アッパー３の上縁３７よりも下方の位置において屈曲した第１屈曲点Ｏ１を有し、
前記第２補強部の前縁２Ｅに沿った第２包絡線２Ｌは前記境界部３８よりも上方において、かつ、前記アッパー３の前記上縁３７よりも下方の位置において屈曲した第２屈曲点Ｏ２を有し、
前記第１包絡線１Ｌおよび前記第２包絡線２Ｌが、それぞれ、前記第１および第２屈曲点Ｏ１，Ｏ２から上方に延びるに従い前記第１補強部１と前記第２補強部２とが互いに徐々に接近しており、
前記第１包絡線１Ｌおよび前記第２包絡線２Ｌが、それぞれ、前記第１および第２屈曲点Ｏ１，Ｏ２から下方に延びるに従い前記第１補強部１と前記第２補強部２とが互いに徐々に接近しており、
前記第１および第２補強部の各下端１４，２４が足の内側のアーチの部位に適合され、
前記第１補強部の上端１３が母趾球Ｏの部位または母趾球Ｏよりも後方となるように適合され、
前記第１補強部の前記上端１３が前記第１補強部の前記下端１４よりも前方Ｆに配置され、および／または前記第２補強部２の上端２３が前記第２補強部の前記下端２４よりも前方Ｆに配置されている。
【請求項１２】
請求項１１の靴において、
前記柔軟材３０が前記第１および第２包絡線１Ｌ，２Ｌで定義された被補強エリア４において前記柔軟材の少なくとも表面材は上下方向Ｙおよび靴の前後方向Ｘに伸縮可能なメッシュ状の生地を含む。
【請求項１３】
請求項１２の靴において、
前記メッシュ状の生地は前記上下方向Ｙよりも前記前後方向Ｘに伸縮し易い。
【請求項１４】
請求項１１，１２もしくは１３の靴において、前記柔軟材３０は前記第１および第２包絡線１Ｌ，２Ｌで定義された被補強エリア４を包含し、前記第１屈曲点Ｏ１から前記第２屈曲点Ｏ２に向かう方向に直交する長さ方向の前記エリア４の長さ４Ｌは前記第１屈曲点Ｏ１と前記第２屈曲点Ｏ２との間の前記エリア４の幅４Ｗよりも大きい。
【請求項１５】
請求項１１〜１４のいずれか１項の靴において、
前記第１屈曲点Ｏ１と前記第２屈曲点Ｏ２とを結んだ仮想の線分の中点Ｏ３から前記第１および第２補強部１，２の両上端１３，２３に含まれる点Ｏ４または両上端１３，２３の間の点Ｏ４まで延びた仮想の第２中心ラインＣ２と前記ソール８の接地面８Ｆとがなす角αが３０°〜６０°に設定されている。
【請求項１６】
請求項１５の靴において、
側面視において、前記仮想の第２中心ラインＣ２が第１中足骨Ｂ１の骨体Ｂ１１に交差するように適合された状態で、前記第１および第２補強部１，２が配置されている。
【請求項１７】
請求項１１〜１６のいずれか１項の靴において、
前記第１および第２補強部１，２の各上端１３，２３はシューレースが係合する係合部Ｈに隣接ないし連なり、前記第１および第２補強部１，２の各下端１４，２４は前記ソール８の上面８１に隣接ないし連なる。
【請求項１８】
請求項１１〜１７のいずれか１項の靴において、
前記第１および第２補強部の各下端１４，２４が前記靴の前後方向Ｘの先端ＦＥから前記靴の全長の４０％〜６０％の範囲に配置され、
前記第１および第２補強部の各上端１３、２３が前記先端ＦＥから前記靴の全長の２５％〜４５％の範囲に配置され、
前記第１補強部の上端１３が前記第１補強部の下端１４よりも前方Ｆに配置され、かつ、前記第２補強部の上端２３が前記第２補強部の下端２４よりも前方Ｆに配置されている。
【請求項１９】
請求項１１〜１７のいずれか１項の靴において、
前記第１および第２補強部の各下端１４，２４が靴の前後方向Ｘの先端ＦＥから前記靴の全長の４５％〜５５％の範囲に配置され、
前記第１および第２補強部の各上端１３、２３が前記先端ＦＥから前記靴の全長の３０％〜４０％の範囲に配置され、
前記第１補強部の上端１３が前記第１補強部の下端１４よりも前方Ｆに配置され、かつ、前記第２補強部の上端２３が前記第２補強部の下端２４よりも前方Ｆに配置されている。
【請求項２０】
請求項１１〜１９のいずれか１項の靴において、
前記第１および第２補強部２の上端１３，２３において前記第１補強部１と前記第２補強部１，２とがなす角α１が鋭角に形成され、
前記第１および第２補強部２の下端１４，２４において前記第１補強部１と前記第２補強部１，２とがなす角α２が鋭角に形成され、
前記第１補強部１が前記第１屈曲点Ｏ１においてなす角α３が鈍角に形成され、
前記第２補強部２が前記第２屈曲点Ｏ２においてなす角α４が鈍角に形成されている。
【請求項２１】
アッパー３およびソール８を有する靴であって、前記靴は、
前記アッパー３の一部を構成し足の内側面を覆うように適合された柔軟材３０と、
前記柔軟材３０よりも伸び難く前記柔軟材の表面３Ｆに付着された第１および第２補強部１，２と、を備え、
前記第１補強部１は前記アッパー３と前記ソール８との境界部３８から上方に向かって連続的または断続的に帯状または線状に延び、
前記第２補強部２は前記第１補強部１の後方Ｒに配置され、前記アッパー３と前記ソール８との前記境界部３８から上方に向かって連続的または断続的に帯状または線状に延び、
前記第１補強部の後縁１Ｅに沿った第１包絡線１Ｌは前記境界部３８よりも上方において、かつ、前記アッパー３の上縁３７よりも下方の位置において屈曲した第１屈曲点Ｏ１を有し、
前記第２補強部の前縁２Ｅに沿った第２包絡線２Ｌは前記境界部３８よりも上方において、かつ、前記アッパー３の前記上縁３７よりも下方の位置において屈曲した第２屈曲点Ｏ２を有し、
前記第１包絡線１Ｌおよび前記第２包絡線２Ｌが、それぞれ、前記第１および第２屈曲点Ｏ１，Ｏ２から上方に延びるに従い前記第１補強部１と前記第２補強部２とが互いに徐々に接近しており、
前記第１包絡線１Ｌおよび前記第２包絡線２Ｌが、それぞれ、前記第１および第２屈曲点Ｏ１，Ｏ２から下方に延びるに従い前記第１補強部１と前記第２補強部２とが互いに徐々に接近しており、
前記第１および第２補強部の各下端１４，２４が前記靴の前後方向Ｘの先端ＦＥから前記靴の全長の４０％〜６０％の範囲に配置され、
前記第１および第２補強部の各上端１３、２３が前記先端ＦＥから前記靴の全長の２５％〜４５％の範囲に配置され、
前記第１補強部の上端１３が前記第１補強部の下端１４よりも前方Ｆに配置され、かつ、前記第２補強部の上端２３が前記第２補強部の下端２４よりも前方Ｆに配置されている。
【請求項２２】
請求項２１の靴において、
前記第１および第２補強部の各下端１４，２４が前記靴の前記先端ＦＥから前記靴の全長の４５％〜５５％の範囲に配置され、
前記第１および第２補強部の各上端１３、２３が前記先端ＦＥから前記靴の全長の３０％〜４０％の範囲に配置され、
前記第１補強部の上端１３が前記第１補強部の下端１４よりも前方Ｆに配置され、かつ、前記第２補強部の上端２３が前記第２補強部の下端２４よりも前方Ｆに配置されている。
【請求項２３】
請求項２１もしくは２２の靴において、
前記柔軟材３０は前記第１および第２包絡線１Ｌ，２Ｌで定義された被補強エリア４を包含し、
前記被補強エリア４において前記柔軟材の前記表面３Ｆは上下方向Ｙおよび前記前後方向Ｘに伸縮自在なメッシュ状の生地で形成されている。
【請求項２４】
請求項２３の靴において、
前記メッシュ状の生地は前記上下方向Ｙよりも前記前後方向Ｘに伸縮し易い。
【請求項２５】
請求項２１〜２４のいずれか１項の靴において、前記柔軟材３０は前記第１および第２包絡線１Ｌ，２Ｌで定義された被補強エリア４を包含し、前記第１屈曲点Ｏ１から前記第２屈曲点Ｏ２に向かう方向に直交する長さ方向の前記エリア４の長さ４Ｌは前記第１屈曲点Ｏ１と前記第２屈曲点Ｏ２との間の前記エリア４の幅４Ｗよりも大きい。
【請求項２６】
請求項２１〜２５のいずれか１項の靴において、
前記第１屈曲点Ｏ１と前記第２屈曲点Ｏ２を結んだ仮想の線分の中点Ｏ３から前記第１および第２補強部の両上端１３，２３に含まれる点Ｏ４または両上端１３，２３の間の点Ｏ４まで延びた仮想の中心ラインＣ２と前記ソール８の接地面８Ｆとがなす角αが３０°〜６０°に設定されている。
【請求項２７】
請求項２１〜２６のいずれか１項の靴において、
前記第１および第２補強部１，２の各上端１３，２３はシューレースが係合する係合部Ｈに隣接ないし連なり、前記第１および第２補強部１，２の各下端１４，２４は前記ソール８の上面８１に隣接ないし連なる。
【請求項２８】
足を包むアッパー３を有する靴であって、
前記アッパー３の一部を構成し前足の内側面を覆うように適合された柔軟材３０と、前記柔軟材３０よりも伸び難く前記柔軟材３０の表面３Ｆに付着された補強部１，２とを備え、
前記補強部１，２は、上方の第１端部１１，１２から下方の第２端部２１，２２に向かって斜め後方の下方に延び、
前記第１端部１１，１２と第２端部２１，２２とを通る仮想の直線ＳＬと前記ソールの接地面８Ｆとがなす角αが３０°〜６０°に設定され、
前記柔軟材３０および前記補強部を含む仮想エリアＶＡの剛性が下記の（ａ）〜（ｃ）の条件を満足する
（ａ）前記仮想エリアＶＡは前記仮想の直線ＳＬに沿って延びる一対の縦辺Ｓ１と前記仮想の直線に直交する別の直線に沿った一対の横辺Ｓ２とで定義され、この定義された方形の試験片Ｓを用い、
（ｂ）前記第１端部１１，１２および前記第２端部２１，２２を引張試験機１００で把んで前記仮想の直線ＳＬの延びる方向に引張荷重を負荷し、
（ｃ）前記試験片Ｓの伸びが３％〜６％の任意の値を超えた際に前記試験片Ｓの引張剛性が増大する。
【発明の詳細な説明】
【技術分野】
【０００１】
本発明は主として走行中の過度のプロネーションを抑制する機能を改良した靴に関する。
【背景技術】
【０００２】
走行中の過度のプロネーションを抑制する機能は安定性（能）と呼ばれている。かかる安定性能はランニングシューズでは最も重要な機能のひとつに位置づけられる。この過度のプロネーションを抑制するためには、ミッドソールの内側に高硬度部材を設ける構造（ＵＳ６，１９９，３０２Ｂ１）やソールのねじれ変形を抑制するためにソールの中足部に配置された強化装置が知られている。
【先行技術文献】
【特許文献】
【０００３】
【特許文献１】ＵＳ６，１９９，３０２Ｂ１（ＦＩＧ９）
【特許文献２】ＵＳ８，２６６，８２７Ｂ２（ＦＩＧ７Ａ）
【特許文献３】ＵＳ８，３８８，７９１Ｂ２（ＦＩＧ１）
【発明の概要】
【０００４】
フルマラソンでの記録向上を目指すランナーは、一度のトレーニングで２０−３０ｋｍの距離を走行する場合がある。我々の実験結果によると、内足側のミッドソールを強化した靴で走行した場合であっても、１０ｋｍ以上の長距離走行では踵部の外反角度は増大することが明らかになった。
【０００５】
図１１Ａは接地した直後における踵部の外反角度βの変化を示す。外反角度βの変化として、接地後０〜０．１秒の間と接地後０．１〜０．２秒の間において２つのピークが現れる。前者（第一ピークＰ１１）は接地直後の踵部のプロネーションによって引き起こされる変形と考えられている。一方、後者（第二ピークＰ１２）は内側アーチ部がつぶれることによって足部全体が内側に倒れこむことにより引き起こされる変形と考えられている。
【０００６】
図１１Ｂは前記外反角度βの第二ピークＰ１２のピーク値と走行距離との関係を示す。図１１Ｂから分かるように、走行距離の増大に伴い外反角度βの絶対値は徐々に増大する傾向にある。
【０００７】
かかる現象は、走行により足等の筋肉が疲労して筋力が低下し、足の骨格の特にアーチを支持（保持）する機能が低下するためであると考えられる。
【０００８】
一方、内足側のミッドソールを強化する強化装置を硬くしすぎたり、内足側のミッドソール自体の硬度を大きくしすぎた場合、足裏への突き上げ感が生じる要因となる。
【０００９】
ＵＳ８，２６６，８２７Ｂ２やＵＳ８，３８８，７９１Ｂ２に開示された靴は、多数本のストランドがアッパーの側面に配置されている。これらの先行例は履物の質量の減少や生産効率の向上を狙っている。すなわち、前記安定性能の向上を狙ったものではないし、前記向上を図ることも難しいだろう。
【００１０】
本発明の目的はアッパーの構造を改良することで、走行中の過度のプロネーションを抑制する機能、つまり、安定性能の向上を図ることである。
【００１１】
本発明の構成の説明に先立って、本発明の原理が説明される。
【００１２】
図１２Ａおよび図１２Ｂは、それぞれ、１ｋｍ（０．６２５マイル）および１５ｋｍ（９．３７５マイル）走行した時のアッパーの変形状況を示す。これらの図において、アッパーに伸びが生じた部位はドット模様が付されている。
【００１３】
アッパーの伸びは、図１２Ａの１ｋｍ走行時に比べ、図１２Ｂの１５ｋｍ走行時の方が大きいことが分かる。特に、両図を比較すると図１２Ｂの前足内側の足のアーチを覆うアッパーの部位において、前記伸びが大きいことが分かる。
【００１４】
図１３Ａは前記アッパーのアーチの部位の伸びと踵部の外反角度βとの関係を示す。図１３Ａにおいて、前記アッパーのアーチの部位の伸びが大きくなるに従い、前記外反角度βの絶対値が増大することが分かる。
【００１５】
かかる相関関係の生じる理由は、長距離走行で足の筋肉が疲労し、足のアーチの保持機能が低下し、そのため、過度のプロネーションが生じ、内側に倒れた第１趾がアッパーの内側部を押すためであると考えられる。したがって、前記伸びを生じたアッパーの部位の剛性を増大させることで、前記過度のプロネーションを防止することができるであろう。
【００１６】
図１２Ｂのアッパーが伸ばされる方向Ｄａとソール８の接地面８Ｆとのなす角γを測定したところ、前記角γは平均で４６．７度プラスマイナス７．１度程度であるため、個人差等を考慮して、３０度から６０度の範囲で補強部材を配置することで、前記過度のプロネーションを効果的に抑制できると推測される。
【００１７】
一方、メッシュ材で作成されたアッパーを持つランニングシューズを着用し、着用者が疲労していない状態での前記部位のアッパーの伸びを測定した。この伸びの平均値は４．７％プラスマイナス１．１％程度であった。したがって、かかる伸びを許容するためには、３〜６％程度の伸びが生じた後に剛性が高まるような材料特性が望ましい。
【００１８】
このような材料特性を持つ素材で形成されたアッパーは、剛性を発揮するまではソフトな足当たりを実現し、サポートが必要なフェイズでは足の倒れこみ（外反）を抑制することができるであろう。
【００１９】
図１４Ａは裸足走行においてヒールライズからトウオフに至る蹴り出し時の足を示す。この図において伸びの大きい部位には、ドット模様が付されている。また、伸びが大きい程、濃いドット模様が付されている。同図において、前記蹴り出し時に足の表面が伸びる方向Ｄｆが矢印で示されている。
【００２０】
図１４Ａの前記足の表面が伸びる方向Ｄｆは図１２Ｂの前記アッパーが伸ばされる方向Ｄａに対し、直交するような大きな角度で交差することが分かる。したがって、前足内側の足のアーチを覆うアッパーの部位において、伸びの要求特性は、図１２Ｂの方向Ｄａには伸びにくいこと、かつ、これに略直交する方向Ｄｆには伸び易いことであろうと推測される。
【００２１】
図１４Ａの１列に８個並んだ点Ｐ１〜Ｐ８において、足の表面の伸びが測定された。図１４Ｂはこの測定の結果を棒グラフで表した図である。
【００２２】
図１４Ａの測定点Ｐ８は、概ね、足裏（アーチ）と足の内側面との境界に位置する。一方、点Ｐ５，Ｐ６はアーチより若干上方の図１２Ｂの第１中足骨Ｂ１の骨体Ｂ１１の下部ないし同骨体Ｂ１１の直下に位置する。
【００２３】
図１４Ａの前記方向Ｄｆについて足の表面が伸びる部位は、図１４Ｂの棒グラフから分かるように、図１４Ａの測定点Ｐ５，Ｐ６である。したがって、図１２Ｂの第１中足骨Ｂ１の骨体Ｂ１１の下部ないし同骨体Ｂ１１の直下において、足の表面が前記方向Ｄｆに伸びる。それ故、かかる部位において、アッパーに要求される材料特性としては斜め後方の上方に伸び易いことである。これにより、かかる部位のアッパーのフィット性能を維持ないし向上することができるだろう。
【００２４】
本発明は第１の局面において、アッパー３およびソール８を有する靴であって、前記靴は、
前記アッパー３の一部を構成し足の内側面を覆う柔軟材３０と、
前記柔軟材３０よりも伸び難く前記柔軟材の表面３Ｆに付着された第１および第２補強部１，２と、を備え、
前記柔軟材３０は前記第１および第２補強部１，２で補強された被補強エリア４を包含し、
前記第１補強部１は前記アッパー３の前記ソール８との境界部３８から上方に向かって連続的または断続的に帯状または線状に延び、
前記第２補強部２は前記第１補強部１の後方Ｒに配置され、前記アッパー３の前記ソール８との前記境界部３８から上方に向かって連続的または断続的に帯状または線状に延び、
前記エリア４は前記第１補強部の後縁１Ｅに沿った第１包絡線１Ｌと、前記第２補強部の前縁２Ｅに沿った第２包絡線２Ｌで定義され、
前記エリア４を前記第１包絡線で前縁４Ｆが定義される第１部４１と前記第２包絡線で後縁４Ｒが定義される第２部４２とに分ける仮想の第１中心ラインＣ１に沿って前記エリア４が延び、
前記エリア４は上端部４３と下端部４４と前記上端部４３と下端部４４との間の中間部４５とを包含し、
前記第１中心ラインＣ１の延びる方向Ｄ１に直交する方向Ｄ２の前記エリアの幅４Ｗが、前記中間部４５において最大で、かつ、前記中間部４５から前記上端部４３に向かって前記エリアの幅４Ｗが徐々に小さく、かつ、前記中間部４５から前記下端部４４に向かって前記エリアの幅４Ｗが徐々に小さく、
前記エリア４の前記上端部４３が前記下端部４４よりも前方に配置されている。
【００２５】
本第１の局面において、被補強エリア４の上端部が下端部よりも前方に配置されている。そのため、第１中心ラインＣ１は斜め前方の上方に延び、したがって、足の内側面を覆うアッパーは前記アッパーが伸ばされる前記方向Ｄａに伸び難い可能性がある。それ故、前記過度のプロネーションを抑制できる可能性がある。
【００２６】
本第１の局面において、第１中心ラインＣ１に直交する方向Ｄ２の幅は中間部４５において最大で、被補強エリア３Ａの上端部および下端部に向かって徐々に小さい。
したがって、前記エリア３Ａの中間部４５において第１中心ラインＣ１に直交する方向Ｄ２に伸び易い。それ故、アッパーのフィット性能が維持ないし向上する可能性がある。
【００２７】
本発明において、柔軟材３０の表面３Ｆとは、アッパーの外表面だけでなく、足に接する内表面も含まれることを意味する。
【００２８】
「第１中心ラインＣ１」は前記エリア４を前記第１部４１と前記第２部４２とに概ね均等に分ける仮想のラインであってもよい。
【００２９】
「アッパー３のソール８との境界部３８」とは、境界自体の他に境界の近傍のアッパーの部位を含む。「境界部から上方に向かって」とは、境界部から斜め上方に向かう場合を含む。
【００３０】
「連続的または断続的に」とは、各補強部１，２が完全に連続している場合の他、１つの補強部が複数に分離されている場合を含むことを意味する。補強部が複数に分離されていても、本質的に連続して帯状ないし線状に延びていることで、補強部が延びている方向への柔軟材３０の伸びが抑制されるからである。
【００３１】
「帯状」とは各補強部が延びる方向の長さに対し、各補強部の幅および厚さが十分に小さいことを意味する。「線状」とは例えば伸び難い綿糸やナイロン糸がアッパーに縫い付けられている様な糸状で、帯状よりも細いものを含む。
【００３２】
「包絡線」とは、与えられた曲線族と接線を共有する曲線、すなわち与えられた（一般には無限個の）全ての曲線たちに接する曲線を意味する。第１補強部１の後縁１Ｅや第２補強部２の前縁２Ｅが滑らかに連続する直線および曲線で構成されている場合、第１および第２包絡線１Ｌ，２Ｌは、それぞれ、前記第１補強部１の後縁１Ｅおよび第２補強部２の前縁２Ｅに概ね一致するだろう。
【００３３】
本発明は第２の局面において、アッパー３およびソール８を有する靴であって、前記靴は、
前記アッパー３の一部を構成し足の内側面を覆うように適合された柔軟材３０と、
前記柔軟材３０よりも伸び難く前記柔軟材の表面３Ｆに付着された第１および第２補強部１，２と、を備え、
前記第１補強部１は前記アッパー３の前記ソール８との境界部３８から上方に向かって連続的または断続的に帯状または線状に延び、
前記第２補強部２は前記第１補強部１の後方Ｒに配置され、前記アッパー３の前記ソール８との前記境界部３８から上方に向かって連続的または断続的に帯状または線状に延び、
前記第１補強部の後縁１Ｅに沿った第１包絡線１Ｌは前記境界部３８よりも上方において、かつ、前記アッパー３の上縁３７よりも下方の位置において屈曲した第１屈曲点Ｏ１を有し、
前記第２補強部の前縁２Ｅに沿った第２包絡線２Ｌは前記境界部３８よりも上方において、かつ、前記アッパー３の前記上縁３７よりも下方の位置において屈曲した第２屈曲点Ｏ２を有し、
前記第１包絡線１Ｌおよび前記第２包絡線２Ｌが、それぞれ、前記第１および第２屈曲点Ｏ１，Ｏ２から上方に延びるに従い前記第１補強部１と前記第２補強部２とが互いに徐々に接近しており、
前記第１包絡線１Ｌおよび前記第２包絡線２Ｌが、それぞれ、前記第１および第２屈曲点Ｏ１，Ｏ２から下方に延びるに従い前記第１補強部１と前記第２補強部２とが互いに徐々に接近しており、
前記第１および第２補強部の各下端１４，２４が足の内側のアーチの部位に適合され、
前記第１補強部の上端１３が母趾球Ｏの部位または母趾球Ｏよりも後方となるように適合され、
前記第１補強部の前記上端１３が前記第１補強部の前記下端１４よりも前方Ｆに配置され、および／または前記第２補強部２の上端２３が前記第２補強部の前記下端２４よりも前方Ｆに配置されている。
【００３４】
本第２の局面において、前記第１補強部の前記上端１３が前記第１補強部の前記下端１４よりも前方に配置され、および／または前記第２補強部の前記上端２３が前記第２補強部の前記下端２４よりも前方に配置されている。そのため、第１および／または第２補強部は斜め前方の上方に延び、したがって、足の内側面を覆うアッパーは前記アッパーが伸ばされる方向Ｄａに伸び難い可能性がある。したがって、前記過度のプロネーションを抑制できる可能性がある。
【００３５】
また、前記第１および第２補強部の各下端１４，２４が足の内側のアーチの部位に適合され、前記第１補強部の上端１３が母趾球Ｏの部位または母趾球Ｏよりも後方となるように適合されている。そのため、各補強部１，２は、前記長距離走行において大きな伸びが生じたアッパーの部位を補強し得るだろう。したがって、過度のプロネーションを抑制できるであろう。
【００３６】
本発明は第３の局面において、アッパー３およびソール８を有する靴であって、前記靴は、
前記アッパー３の一部を構成し足の内側面を覆うように適合された柔軟材３０と、
前記柔軟材３０よりも伸び難く前記柔軟材の表面３Ｆに付着された第１および第２補強部１，２と、を備え、
前記第１補強部１は前記アッパー３と前記ソール８との境界部３８から上方に向かって連続的または断続的に帯状または線状に延び、
前記第２補強部２は前記第１補強部１の後方Ｒに配置され、前記アッパー３と前記ソール８との前記境界部３８から上方に向かって連続的または断続的に帯状または線状に延び、
前記第１補強部の後縁１Ｅに沿った第１包絡線１Ｌは前記境界部３８よりも上方において、かつ、前記アッパー３の上縁３７よりも下方の位置において屈曲した第１屈曲点Ｏ１を有し、
前記第２補強部の前縁２Ｅに沿った第２包絡線２Ｌは前記境界部３８よりも上方において、かつ、前記アッパー３の前記上縁３７よりも下方の位置において屈曲した第２屈曲点Ｏ２を有し、
前記第１包絡線１Ｌおよび前記第２包絡線２Ｌが、それぞれ、前記第１および第２屈曲点Ｏ１，Ｏ２から上方に延びるに従い前記第１補強部１と前記第２補強部２とが互いに徐々に接近しており、
前記第１包絡線１Ｌおよび前記第２包絡線２Ｌが、それぞれ、前記第１および第２屈曲点Ｏ１，Ｏ２から下方に延びるに従い前記第１補強部１と前記第２補強部２とが互いに徐々に接近しており、
前記第１および第２補強部の各下端１４，２４が前記靴の前後方向Ｘの先端ＦＥから前記靴の全長の４０％〜６０％の範囲に配置され、
前記第１および第２補強部の各上端１３、２３が前記先端ＦＥから前記靴の全長の２５％〜４５％の範囲に配置され、
前記第１補強部の上端１３が前記第１補強部の下端１４よりも前方Ｆに配置され、かつ、前記第２補強部の上端２３が前記第２補強部の下端２４よりも前方Ｆに配置されている。
【００３７】
本第３の局面において、前記各補強部の下端１４，２４は靴の前後方向Ｘの先端ＦＥから靴の全長の４０％〜６０％の範囲に配置されている。この場合、前記下端１４，２４は足の内側のアーチの部位に適合され易い。
【００３８】
したがって、足の内側のアーチの部位に適合された補強部１，２の下端が斜め上方の前方に向かって引っ張られるであろう。そのため、所期の方向にアッパーが伸び難くなって、プロネーションの抑制機能が発揮され易い。
【００３９】
また、本第３の局面において、前記第１補強部の上端１３が前記第１補強部の下端１４よりも前方に配置され、かつ、前記第２補強部の上端２３が前記第２補強部の下端２４よりも前方に配置されている。かかる配置により、２本の補強部は、各々、前記足の内側のアーチに適合する部位から斜め前方の上方に向かって延びるだろう。
【００４０】
更に、本第３の局面においては、前記第１および第２補強部の各上端１３，２３が前記先端ＦＥから靴の全長の２５％〜４５％の範囲に配置されている。
【００４１】
かかる範囲に各補強部の上端および下端が配置され、かつ、各上端が各下端よりも前方である場合、各補強部の下端は足の内側のアーチに適合され、斜め前方の上方に向かって補強部の下端が引っ張られるであろう。そのため、プロネーションの抑制機能が発揮され易いだろう。
【００４２】
また、前記第２および第３の局面においては、前記第１包絡線１Ｌおよび前記第２包絡線２Ｌが、それぞれ、前記第１および第２屈曲点Ｏ１，Ｏ２から上方に延びるに従い前記第１補強部１と前記第２補強部２とが互いに徐々に接近しており、前記第１包絡線１Ｌおよび前記第２包絡線２Ｌが、それぞれ、前記第１および第２屈曲点Ｏ１，Ｏ２から下方に延びるに従い前記第１補強部１と前記第２補強部２とが互いに徐々に接近している。したがって、前記両補強部１，２で補強されたエリアは前記屈曲点Ｏ１，Ｏ２を結ぶ直線に沿って伸び易いだろう。それ故、アッパーのフィット性能が維持ないし向上する可能性がある。
【００４３】
本発明において、「適合され」とは「配置され」という程度の意味である。
【００４４】
本発明は第４の局面において、足を包むアッパー３を有する靴であって、
前記アッパー３の一部を構成し前足の内側面を覆う柔軟材３０と、前記柔軟材３０よりも伸び難く前記柔軟材３０の表面３Ｆに付着された補強部１，２とを備え、
前記補強部１，２は、上方の第１端部１１，１２から下方の第２端部２１，２２に向かって斜め後方の下方に延び、
前記第１端部１１，１２と第２端部２１，２２とを通る仮想の直線ＳＬと前記ソールの接地面８Ｆとがなす角αが３０°〜６０°に設定され、
前記柔軟材３０および前記補強部を含む仮想エリアＶＡの剛性が下記の（ａ）〜（ｃ）の条件を満足する
（ａ）前記仮想エリアＶＡは前記仮想の直線ＳＬに沿って延びる一対の縦辺Ｓ１と前記仮想の直線に直交する別の直線に沿った一対の横辺Ｓ２とで定義され、この定義された方形の試験片Ｓを用い、
（ｂ）前記第１端部１１，１２および前記第２端部２１，２２を引張試験機１００で把んで前記仮想の直線ＳＬの延びる方向に引張荷重を負荷し、
（ｃ）前記試験片Ｓの伸びが３％〜６％の任意の値を超えた際に前記試験片Ｓの引張剛性が増大する。
【００４５】
前足の内側において斜め後方の下方に延びる補強部の前記第１端部１１，１２と第２端部２１，２２とを通る仮想の直線ＳＬと前記ソールの接地面８Ｆ（図２）とがなす角αは３０°〜６０°に設定されている。かかる範囲に前記角αが設定された場合、前記アッパーの伸ばされる方向Ｄａにアッパーが伸び難くなるであろう。したがって、過度のプロネーションを抑制し得る。
【００４６】
また、前記試験片Ｓの伸びが３％〜６％の任意の値を超えた際に前記試験片Ｓの引張剛性が増大する。そのため、着用者が疲労していない走行時には、アッパーに必要な小さな伸びが許容されソフトな足当たりを実現できる。一方、疲労後にはアッパーが伸び難く足の倒れ込みを抑制し得る。
【図面の簡単な説明】
【００４７】
【図１】図１は本発明の実施例１の靴を示す概略内側面図である。
【図２】図２は同概略内側面図である。
【図３】図３は足の骨格と靴との関係を示す同内側面図である。
【図４】図４は補強部および柔軟材等を示す拡大した内側面図である。
【図５】図５はアッパーの内側部を概念的に示す断面図である。
【図６】図６は補強部を含むアッパーの一部を拡大して示す内側面図である。
【図７】図７は実施例２にかかる補強部を含むアッパーの一部を示す内面図である。
【図８】図８Ａおよび図８Ｂは、それぞれ、実施例３および４にかかる補強部を含むアッパーの一部を示す内側面図である。
【図９】図９Ａおよび図９Ｂは、それぞれ、実施例５および６にかかる補強部を含むアッパーの一部を示す内側面図である。
【図１０】図１０は補強部の他の実施例を示す靴の概略内側面図である。
【図１１】図１１Ａは踵部の外反角度βの変化を示すグラフ、図１１Ｂは前記外反角度βの第二ピークの値と走行距離との関係を示すグラフである。
【図１２】図１２Ａおよび図１２Ｂは、それぞれ、所定距離走行時のアッパーの変形状況を示す靴の概略内側面図である。
【図１３】図１３Ａはアッパーの伸びと外反角度βとの相関関係を示すグラフ、図１３Ｂは試験片における伸びと荷重との関係を示すグラフ、図１３Ｃは試験片及び試験方法を示す正面図である。
【図１４】図１４Ａは足の表面の伸びを示す足の内側面図、図１４Ｂは足の各部位について同伸びの測定値を定量的に示す棒グラフである。
【図１５】図１５は外反角度βについて測定した結果を示すグラフである。
【発明を実施するための形態】
【００４８】
好ましくは、前記柔軟材３０が前記第１および第２補強部１，２で補強された被補強エリア４において前記柔軟材の少なくとも表面材は上下方向Ｙおよび靴の前後方向Ｘに伸縮可能なメッシュ状の生地を含む。
【００４９】
かかるメッシュ状の生地は、補強部１，２により変形が拘束されている被補強エリア４においてアッパーのフィット性能を向上させるだろう。
【００５０】
より好ましくは、前記メッシュ状の生地は前記上下方向Ｙよりも前記前後方向Ｘに伸縮し易い。
【００５１】
メッシュ状の生地が前後方向に伸縮し易いことで、蹴り出し時の足の表面が伸びる方向に生地が伸び易く、これにより、前記フィット性能が更に向上するであろう。
一方、メッシュ状の生地が前後方向よりも上下方向に伸び難い場合、同生地が補強部１，２と協働して、アッパーを上下方向に伸び難くし、過度のプロネーションが抑制され易いだろう。
【００５２】
メッシュ状の生地は、肉眼で確認できる多数の貫通孔を有していてもよい。貫通孔の形状は、長円形、楕円形、円形、ひし形であってもよい。メッシュ状の生地を構成する素材は合成繊維または天然繊維であってもよい。
【００５３】
前記第１の局面において好ましくは、被補強エリア４を前後に分ける前記仮想の第１中心ラインＣ１が延びる方向Ｄ１の前記エリア４の長さ４Ｌが、前記エリア４の最大の前記幅４Ｗよりも大きい。
【００５４】
被補強エリア４の長さが被補強エリア４の幅４Ｗよりも大きい場合、被補強エリア４は前記中心ラインが延びる方向Ｄ１に延び難く、一方、前記幅方向、つまり前後方向に延び易い。そのため、プロネーションの抑制性能およびフィット性能の更なる向上が期待できる。
【００５５】
前記第２局面および第３局面において、好ましくは、前記柔軟材３０は前記第１および第２包絡線１Ｌ，２Ｌで定義された被補強エリア４を包含し、前記第１屈曲点Ｏ１から前記第２屈曲点Ｏ２に向かう方向に直交する長さ方向の前記エリア４の長さ４Ｌは前記第１屈曲点Ｏ１と前記第２屈曲点Ｏ２との間の前記エリア４の幅４Ｗよりも大きい。
【００５６】
このように、両補強部の上下端の間の前記長さ４Ｌが両屈曲点の間の幅４Ｗよりも大きい場合、上記と同様に、過度のプロネーションの抑制機能およびフィット性能の更なる向上が期待できる。
【００５７】
前記第１の局面において好ましくは、前記第１中心ラインＣ１と前記ソールの接地面８Ｆとのなす角αが３０°〜６０°に設定されている。なお、以下において「各ラインがソールの接地面８Ｆとのなす角」とは各ラインの前方において形成される鋭角またはその対頂角を意味する。
【００５８】
前記第２および第３の局面において好ましくは、前記第１屈曲点Ｏ１と前記第２屈曲点Ｏ２とを結んだ仮想の線分の中点Ｏ３から前記第１および第２補強部１，２の両上端１３，２３に含まれる点Ｏ４または両上端１３，２３の間の点Ｏ４まで延びた仮想の第２中心ラインＣ２と前記ソール８の接地面８Ｆとがなす角αが３０°〜６０°に設定されている。なお、「第２中心ラインＣ２」とは前記エリア４の上半分を概ね均等に分ける仮想のラインであってもよい。
【００５９】
前述のとおり、アッパーが伸ばされる方向Ｄａは、接地面に対し４６．７°プラスマイナス７．１°であろう。したがって、前記角αが３０°〜６０°に設定されている場合、前記アッパーの伸びを抑制する機能が高く、過度のプロネーションの抑制機能が向上するだろう。
【００６０】
１つの靴において、前記第１中心ラインＣ１と第２中心ラインＣ２とは本質的に互いに一致するだろう。
【００６１】
前記第１、第２および第３の局面において好ましくは、前記第１および第２補強部１，２の各上端１３，２３はシューレースが係合する係合部Ｈに隣接ないし連なり、前記第１および第２補強部１，２の各下端１４，２４は前記ソール８の上面８１に隣接ないし連なる。
【００６２】
これらの場合、シューレースが係合する係合部Ｈからソール８の上面８１まで全長または大半の部分にわたって、第１および第２補強部１，２が長く延びている。したがって、前記アッパーの伸びを抑制する機能が高く、過度のプロネーションの抑制機能が向上するだろう。
【００６３】
「係合部Ｈ」とはシューレースが通過するハトメ孔やループを有し、前記シューレースが係合するハトメ部材（ハトメ飾り）やＵ字管を含む。
【００６４】
前記第１の局面において好ましくは、側面視において、前記仮想の第１中心ラインＣ１が第１中足骨Ｂ１の骨体Ｂ１１に交差するように適合された状態で、前記第１および第２補強部１，２が配置されている。
【００６５】
前記第２の局面において好ましくは、側面視において、前記仮想の第２中心ラインＣ２が第１中足骨Ｂ１の骨体Ｂ１１に交差するように適合された状態で、前記第１および第２補強部１，２が配置されている。
【００６６】
第１中足骨の骨体を覆うアッパーの部位は、蹴り出し時に、シューレースが係合する係合部とソール８との間で大きな引っ張り力を受ける。かかる大きな引っ張り力に抗して両補強部１，２がアッパーの伸びを抑制する。したがって、過度のプロネーションの抑制機能が向上するだろう。
【００６７】
前記第１の局面において好ましくは、前記第１および第２補強部の各下端１４，２４が足の内側のアーチの部位に適合され、前記第１補強部の上端１３が母趾球Ｏの部位または母趾球Ｏよりも後方Ｒとなるように適合され、
前記第１補強部の前記上端１３が前記第１補強部の前記下端１４よりも前方に配置され、および／または、前記第２補強部の上端２３が前記第２補強部の前記下端２４よりも前方に配置されている。
【００６８】
この場合、足の内側のアーチの部位に適合された補強部１，２の下端が斜め上方の前方に向かって引っ張られるであろう。そのため、前記アーチの低下が抑制され、過度のプロネーションの抑制機能が発揮され易いだろう。
【００６９】
第１および第２の局面において好ましくは、前記第１および第２補強部の各下端１４，２４が靴の前後方向Ｘの先端ＦＥから靴の全長の４０％〜６０％の範囲に配置され、
前記第１および第２補強部の各上端１３、２３が前記先端ＦＥから前記全長の２５％〜４５％の範囲に配置され、
前記第１補強部の上端１３が前記第１補強部の下端１４よりも前方に配置され、かつ、前記第２補強部の上端２３が前記第２補強部の下端２４よりも前方に配置されている。
【００７０】
かかる範囲に各補強部の上端および下端が配置され、かつ、各上端が各下端よりも前方である場合、各補強部の下端は足の内側のアーチに適合され、斜め前方の上方に向かって補強部の下端が引っ張られるであろう。そのため、前記アーチの低下が抑制され、過度のプロネーションの抑制機能が発揮され易いだろう。
【００７１】
本発明において、各補強部の下端１４，２４が先端ＦＥから前記４０％未満の位置に配置されたり、前記下端１４，２４の位置が先端ＦＥから前記６０％を超える位置に配置されると、前記下端が内側のアーチに適合されにくい。
【００７２】
各補強部の上端１３，２３が先端ＦＥから前記２５％未満の位置に配置されると、前記角αが小さくなりすぎる場合がある。一方、各補強部の上端１３，２３が先端ＦＥから前記４５％を超えた位置に配置されると、前記角αが大きくなりすぎる場合がある。
【００７３】
このような観点から、前記第１〜第３の局面において好ましくは、前記第１および第２補強部の各下端１４，２４が靴の前後方向Ｘの先端ＦＥから靴の全長の４５％〜５５％の範囲に配置され、
前記第１および第２補強部の各上端１３、２３が前記先端ＦＥから前記全長の３０％〜４０％の範囲に配置され、
前記第１補強部の上端１３が前記第１補強部の下端１４よりも前方に配置され、かつ、前記第２補強部の上端２３が前記第２補強部の下端２４よりも前方に配置されている。
【００７４】
この場合、前記各補強部の下端１４，２４が靴の前後方向Ｘの先端ＦＥから前記４５％〜５５％の範囲に配置され、前記第１および第２補強部の各上端１３，２３が前記先端ＦＥから前記３０％〜４０％の範囲に配置されている。
かかる範囲に各補強部の上端および下端が配置されていることで、前記第１および第２中心ラインＣ１，Ｃ２や前記被補強エリア４の中間部４５が第１中足骨Ｂ１の骨体Ｂ１１に適合するように配置され易いだろう。したがって、過度のプロネーションの抑制機能が更に発揮され易いだろう。
【００７５】
また、前記第１補強部の上端１３が前記第１補強部の下端１４よりも前方に配置され、かつ、前記第２補強部の上端２３が前記第２補強部の下端２４よりも前方に配置されている。このような配置は第１および第２補強部の双方が第１中足骨Ｂ１の骨体Ｂ１１を横断するように斜め上方の前方に延びるであろう。したがって、安定性能およびフィット性能の更なる向上が期待できる。
【００７６】
前記第２の局面において好ましくは、前記第１および第２補強部の上端１３，２３において前記第１補強部１と前記第２補強部１，２とがなす角α１（内角）が鋭角に形成され、
前記第１および第２補強部２の下端１４，２４において前記第１補強部１と前記第２補強部１，２とがなす角α２（内角）が鋭角に形成され、
前記第１補強部１が前記第１屈曲点Ｏ１においてなす角α３（内角）が鈍角に形成され、
前記第２補強部２が前記第２屈曲点Ｏ２においてなす角α４（内角）が鈍角に形成されている。
【００７７】
この場合、第１および第２補強部は斜め上下方向に長いひし型状に形成される。斜め上下方向に補強部を含む柔軟材に張力が負荷されると、前記鋭角の角α１、α２が小さくなって柔軟材が前記斜め上下方向に若干伸びるだろう。一方、前記斜め上下方向に直交する幅方向に補強部を含む柔軟材に張力が負荷されると、前記鈍角の角α３，α４が小さくなって、柔軟材が比較的大きく伸びるだろう。かかる異方性は安定性能およびフィット性能の双方の機能を向上させるだろう。
【００７８】
１つの前記各実施態様または下記の実施例に関連して説明および／または図示した特徴は、１つまたはそれ以上の他の実施態様または他の実施例において同一または類似な形で、および／または他の実施態様または実施例の特徴と組み合わせて、または、その代わりに利用することができる。
【実施例】
【００７９】
本発明は、添付の図面を参考にした以下の好適な実施例の説明からより明瞭に理解されるであろう。しかし、実施例および図面は単なる図示および説明のためのものであり、本発明の範囲を定めるために利用されるべきものではない。本発明の範囲は請求の範囲によってのみ定まる。添付図面において、複数の図面における同一の部品番号は、同一または相当部分を示す。【００８０】
実施例１：
以下、本発明の実施例１が図１〜図６を参照して説明される。
以下の説明では、右足用の靴が例示される。
図１に示す靴は、たとえば、競技用やランニング用の靴で、ソール８の上にはアッパー３が固定されている。前記アッパー３は柔軟材３０、第１および第２補強部１，２や図示しないシューレース（締付部材）を備えている。なお、本発明の実施例の説明においては、図面を見易くするために、シューレースの図示は省略している。【００８１】
ソール８はアッパー３の下に配置され路面に接地するものである。前記柔軟材３０は前足の内側面、外側面、爪先および踵を包み、履き口７の前方Ｆに舌片３９を有していてもよい。補強部１，２およびシューレースは柔軟材３０を足の甲にフィットさせるためのものである。前記前足は５本の中足骨と１４個の趾骨からなる。前記中足は舟状骨、立方骨および３個の楔状骨からなる。前記後足は距骨および踵骨からなる。
ソール８はゴム製のアウトソール８３の上にＥＶＡのような樹脂製の発泡体を包むミッドソール８０を備えていてもよい。前記アウトソール８３は前後に分離されていてもよい。なお、踏まず部にはミッドソール８０の下面に付着し、ミッドソール８０を強化する周知の強化装置８９が設けられていてもよい。【００８２】
図１、図４、図５、図７〜図１０および図１３Ｃにおいて、第１および第２補強部１，２の部位にはハッチングが施されている。
前記第１および第２補強部１，２は樹脂素材や綿糸などの天然素材で構成されてもよい。樹脂素材は熱可塑性の樹脂成分と任意の適宜の他の成分とを含む素材であってもよい。前記熱可塑性の樹脂成分としては、例えば、熱可塑性エラストマーおよび熱可塑性樹脂が挙げられる。【００８３】
図１、図４および図５において、前記柔軟材３０の部位には種々の幾何学模様が付されている。図１において、アッパー３の無模様の部位は前記柔軟材３０よりも剛性の大きい素材で形成されていてもよい。【００８４】
図１の前記柔軟材３０は第１中足骨Ｂ１（図３）の内側面を覆うメッシュ状の第１柔軟部３１、爪先上面を覆うメッシュ状の第２柔軟部３２およびこれらの周囲に配置された第３柔軟部３３が一枚の生地で形成されている。図１において、第１柔軟部３１には多数の長円形の模様が付され、第２柔軟部３２は格子模様が付され、第３柔軟部３３には微細なドット模様が付されている。【００８５】
図１および図４の前記メッシュ状の柔軟部３１，３２は例えば織物又は編物で形成されてもよいし、アッパー材として周知のメッシュ状の部材で形成されてもよい。前記第１柔軟部３１は複数列および複数行の細長いスリット状の多数の貫通孔３Ｈを定義する。本例のように、前記貫通孔３Ｈは上下方向Ｙに長く形成されていてもよく、あるいは、斜め前方に長く形成されていてもよい。【００８６】
前記第１および第２補強部１，２は前記柔軟材３０の表面３Ｆに付着されている。「付着」とは、固着という言葉に置き換えてもよく、概念的には容易に取り外しができないように接合されていることを意味する。また、具体的には「付着」とは、接着、溶着、プリントまたは縫合（縫着）などの手段や、これらの２以上の手段を組み合わせて接合することを意味する。【００８７】
図１において、第２柔軟部３２は大きな格子状の生地で形成されており、柔軟材３０の中でも最も剛性が小さく変形し易い。図４に拡大して示すように第１柔軟部３１は長円形状の多数の貫通孔３Ｈを有し、第２柔軟部３２と第３柔軟部３３の中間の剛性を持つ。【００８８】
前記第１および第２補強部１，２は柔軟材３０の第１柔軟部３１よりも伸び難い。前記第１および第２補強部１，２は柔軟材３０の第３柔軟部３３よりも伸び易くてもよい。柔軟材３０の第３柔軟部３３は係合部Ｈのまわりなど伸びを抑制すべき部位に配置され、柔軟材３０単体でも大きな引張剛性を有しているからである。【００８９】
すなわち、本明細書において、「柔軟材３０よりも伸び難い第１および第２補強部１，２」とは、第１および第２補強部１，２が付着された柔軟材３０の過半の部分において、前記第１および第２補強部１，２が柔軟材３０よりも伸び難ければよいことを意味し、また、第１柔軟部３１は後述するように異方性を有しており、第１柔軟部３１の最も伸び易い方向についての所定幅当たりの引張剛性よりも、第１および第２補強部１，２の前記所定幅当たりの引張剛性が大きいことを意味する。【００９０】
前記第１および第２補強部１，２が付着されたアッパー３の断面構造が図５を用いて説明される。本例のように、アッパーは前記柔軟材３０、前記補強部１（２）、樹脂製のフィルム３４、内装材３５および裏打ち材３６が互いに重なっている。なお、図５において接着または溶着部位には××が付されている。【００９１】
前記柔軟材３０の裏面側には内装材３５および裏打ち材３６が配置され、これらの部材３０，３５，３６は周縁において互いに縫合されている。なお、裏打ち材３６は図１のアッパーの内側部の上縁３７の裏側において前後方向に帯状に配置され、前記上縁３７の係合部（例えばハトメ部）Ｈを補強している。
【００９２】
図５において、前記柔軟材３０の第１柔軟部３１は内装材３５に本質的に拘束されることなく、伸縮することが可能である。すなわち、図４の第１柔軟部３１の上下方向Ｙに張力が負荷されると多数の長円形の貫通孔３Ｈが細く変形して上下方向Ｙに若干伸びる。一方、第１柔軟部３１の前後方向Ｘに張力が負荷されると多数の長円形の貫通孔３Ｈが楕円形状に拡がり大きく伸びる。
すなわち、柔軟材３０の第１柔軟部３１は上下方向Ｙよりも前後方向Ｘに伸び易い異方性を有している。【００９３】
図５の前記柔軟材３０の外表面側には、前記第１補強部１（２）およびフィルム３４が付着されていてもよい。前記フィルム３４は各図において２点鎖線で表記され、図４に明示するように前記補強部１，２よりも広い領域にわたって張り出して、補強部１，２および柔軟材３０に溶着されている。これにより、細い補強部１，２が柔軟材３０から剥がれるのを防止し易くなる。
図５の柔軟材３０に溶着またはプリントされた補強部１，２またはフィルム３４は、それらの樹脂組織の一部が柔軟材３０の繊維の微細な凹部や隙間に入り込むだろう。そのため、柔軟材３０は補強部１，２と一体となって補強部１，２の剛性が大きくなり易いだろう。【００９４】
前記柔軟材３０、フィルム３４および内装材３５は、通常のアッパーのように、ミッドソール８０とインソール（中底）８２との間に挟まれている。これにより、アッパー３とミッドソール８０とが互いに固定される。【００９５】
図１および図４において、前記第１補強部１は前記アッパー３と前記ソール８との境界部３８から斜め前方の上方の上縁３７に向かって帯状に延びている。前記第２補強部２は前記第１補強部１の後方Ｒに配置され、前記アッパー３と前記ソール８との前記境界部３８から斜め前方の上方の上縁３７に向かって帯状に延びている。
本例の場合、第１および第２補強部１，２の上端１３，２３には前記係合部Ｈが連なっている。
本例の場合、前記第１補強部１の上端１３と前記第２補強部の上端２３とは互いに一部において重なっており、前記前後方向Ｘに互いに連なっている。また、前記第１補強部１の下端１４と前記第２補強部２の下端２４とは互いに一部において重なっており、前記前後方向Ｘに互いに連なっている。
【００９６】
図４に示すように、前記柔軟材３０は前記第１および第２補強部１，２で補強された被補強エリア４を包含する。
前記エリア４は前記第１補強部１の後縁１Ｅに沿った第１包絡線１Ｌと、前記第２補強部２の前縁２Ｅに沿った第２包絡線２Ｌで定義される。本例の場合、第１および第２補強部１，２は切れ目なく、かつ、滑らかに連なっており、前記第１補強部１の後縁１Ｅおよび第２補強部２の前縁２Ｅは、各々、前記第１包絡線１Ｌおよび第２包絡線２Ｌに一致する。また、本例の場合、前記エリア４は第１および第２補強部１，２により周囲が完全に囲まれている。【００９７】
前記エリア４は上端部４３、下端部４４および前記上端部４３と前記下端部４４との間の中間部４５を包含する。前記エリア４の前記上端部４３は前記下端部４４よりも前方Ｆに配置されている。すなわち、前記エリア４は前記下端部４４から前記上端部４３まで斜め前方の上方に向かって延びる。【００９８】
図２に示すように、仮想の第１中心ラインＣ１は、前記エリア４を前記第１包絡線１Ｌ（図４）で前縁４Ｆが定義される第１部４１と前記第２包絡線２Ｌ（図４）で後縁４Ｒが定義される第２部４２とに概ね均等に分ける。前記仮想の第１中心ラインＣ１は斜め前方の上方に向かって延びる。前記第１中心ラインＣ１と前記ソール８の接地面８Ｆとのなす角αは本例の場合４０°〜５５°程度に設定されている。
なお、本例の場合、前記第１中心ラインＣ１を延長したラインが側面視において前記強化装置８９や踏まず部を横断するように、前記第１中心ラインＣ１が配置されてもよい。【００９９】
図６において、前記第１中心ラインＣ１の延びる方向Ｄ１に直交する方向Ｄ２の前記エリア４の幅４Ｗは、前記中間部４５において最大である。前記中間部４５から前記上端部４３に向かって前記エリアの幅４Ｗは徐々に小さい。前記中間部４５から前記下端部４４に向かって前記エリアの幅４Ｗが徐々に小さい。なお、本例の場合、前記エリア４は概ねひし形である。また、２つの補強部１，２は前記ひし形を囲む枠状である。
枠状の補強部１，２は図６のようにひし形である必要はなく、図８Ｂに示した矩形状、図１０（ｂ）に示した非矩形状であってもよい。ここで、「枠状」とは図１０（ｂ）、図８Ｂ〜図９Ｂおよび図６のように両補強部１，２が完全なループを形成してエリア４を囲んでいる場合と、図７や図８Ａのようにエリア４を囲み、かつ、連続的であるがループが不完全である場合を含む意味である。【０１００】
図６において、前記仮想の第１中心ラインＣ１が延びる方向Ｄ１の前記エリア４の長さ４Ｌは、前記エリア４の前記幅４Ｗの最大値よりも大きい。
この例の場合、前記第１および第２補強部の上端１３，２３において前記第１補強部１と前記第２補強部１，２とがなす角α１は鋭角に形成されている。前記第１および第２補強部の下端１４，２４において前記第１補強部１と前記第２補強部１，２とがなす角α２は鋭角に形成されている。これらの角α１，α２は各補強部１，２の中心線（二点鎖線で図示）のなす角や、後縁１Ｅと前縁２を形成する２本の直線がなす角で決定されてもよい。【０１０１】
前記第１補強部１が前記第１包絡線１Ｌの第１屈曲点Ｏ１においてなす角α３は鈍角に形成されている。前記第２補強部２が前記第２包絡線２Ｌの第２屈曲点Ｏ２においてなす角α４は鈍角に形成されている。図６の例のように、屈曲部４６が滑らかに湾曲している場合、前記角α３，α４は各補強部１（２）の後縁１Ｅや前縁２Ｅを形成する２本の直線がなす角で決定されてもよいし、前述のように、各補強部１，２の中心線のなす角で決定されてもよい。【０１０２】
この例において、各補強部１，２の上方の第１端部１１，１２や下方の第２端部２１，２２に外力Ｆ１が負荷された場合、その分力Ｆ２は比較的小さい。一方、前記各補強部１，２の中間の屈曲部４６に外力Ｆ１が負荷された場合、その分力Ｆ２は比較的大きい。したがって、本補強部１，２は第１中心ラインＣ１に沿った方向Ｄ１に伸び難く、これに直交する方向Ｄ２に伸び易い異方性を有する。【０１０３】
図２において、靴の全長を１００％とした場合に、前記各補強部の下端１４，２４は靴の前後方向Ｘの先端ＦＥから前記全長（１００％）の４５％〜５５％の範囲に配置されてもよい。一方、靴の全長（１００％）に対し前記第１および第２補強部の各上端１３，２３は前記先端ＦＥから３０％〜４０％の範囲に配置されている。前記第１補強部の上端１３は前記第１補強部の下端１４よりも前方に配置されている。前記第２補強部の上端２３は前記第２補強部の下端２４よりも前方に配置されている。【０１０４】
図３において、前記第１および第２補強部の各下端１４，２４は足の内側のアーチの部位に適合されている。前記第１補強部の上端１３は母趾球Ｏの部位または母趾球Ｏよりも後方となるように適合され、より詳しくは、種子骨Ｏｓよりも後方となるように配置されている。また、前記上端１３はリスフラン関節Ｊよりも前方に配置されている。
側面視において、前記仮想の第１中心ラインＣ１は第１中足骨Ｂ１の骨体Ｂ１１に交差するように、前記第１および第２補強部１，２が配置されている。更に、本例のように、側面視において、第１および第２補強部１，２が第１中足骨Ｂ１に交差するように、より好ましくは第１中足骨Ｂ１の骨体Ｂ１１の少なくとも一部を覆うように、斜め前方の上方に延び、かつ、第１中足骨Ｂ１の前方の第１基節骨Ｂ１２や第１中足骨Ｂ１の後方の内側楔状骨Ｂ１３と交差しないように配置されていてもよい。【０１０５】
ここで、骨体とは骨底と骨頭との間の部位をいい、一般に滑らかに太さが変化している。骨底とは各骨における後方の関節に近い部位で若干膨らんだ部位をいい、近位骨頭とも呼ばれている。一方、骨頭とは各骨における前方の関節に近い部位で若干膨らんだ部位をいい、遠位骨頭とも呼ばれている。なお、一般に、種子骨Ｏｓとは関節部などにおいて骨に接して通過する腱の中に生じた骨片を意味する。【０１０６】
図７は実施例２の第１および第２補強部１，２を示す。この例は第１および第２補強部１，２が各々、２つ（複数）に分断ないし分離され、中間の屈曲部４６（図６）において不連続である場合を示す。【０１０７】
前記第１補強部の後縁１Ｅに沿った第１包絡線１Ｌは前記境界部３８よりも上方において、かつ、前記アッパー３の上縁３７よりも下方の位置において屈曲した前記第１屈曲点Ｏ１を有する。前記第２補強部の前縁２Ｅに沿った第２包絡線２Ｌは前記境界部３８よりも上方において、かつ、前記アッパー３の前記上縁３７よりも下方の位置において屈曲した前記第２屈曲点Ｏ２を有する。ここで、屈曲点Ｏ１（Ｏ２）は、エリア４の中間部４５において、１つの包絡線１Ｌ（２Ｌ）における変曲点を構成する。
【０１０８】
前記第１包絡線１Ｌおよび前記第２包絡線２Ｌが、それぞれ、前記第１および第２屈曲点Ｏ１，Ｏ２から上方に延びるに従い前記第１補強部１と前記第２補強部２とは互いに徐々に接近している。また、前記第１包絡線１Ｌおよび前記第２包絡線２Ｌが、それぞれ、前記第１および第２屈曲点Ｏ１，Ｏ２から下方に延びるに従い前記第１補強部１と前記第２補強部２とは互いに徐々に接近している。
図６の例の場合、前記第１補強部１および第２補強部２が屈曲部４６から上方に延びるに従い前記第１補強部１と前記第２補強部２とは互いに徐々に接近している。また、前記第１補強部１および第２補強部２が屈曲部４６から下方に延びるに従い前記第１補強部１と前記第２補強部２とは互いに徐々に接近している。【０１０９】
図７において、前記第１屈曲点Ｏ１から前記第２屈曲点Ｏ２に向かう方向に直交する長さ方向の前記エリア４の長さ４Ｌは、前記第１屈曲点Ｏ１と前記第２屈曲点Ｏ２との間の前記エリア４の幅４Ｗよりも大きい。【０１１０】
図７において、仮想の第２中心ラインＣ２は前記第１屈曲点Ｏ１と前記第２屈曲点Ｏ２とを結んだ仮想の線分（二点鎖線で図示）の中点Ｏ３から前記第１および第２補強部１，２の両上端１３，２３に含まれる点Ｏ４まで延びている。前記仮想の第２中心ラインＣ２と前記ソール８の接地面８Ｆとがなす角αは４０°〜５５°程度に設定されていてもよい。図１０（ａ）のように前記上端１３，２３が前後に離れている場合、前記仮想の第２中心ラインＣ２は両上端１３，２３の間の点Ｏ４まで延びている。【０１１１】
図８Ａに示すように、各補強部１，２は３つ以上に分断ないし分離されていてもよい。分断された部位において、柔軟材３０は各補強部１，２に然程拘束されることなく、各補強部１，２の延びる方向に伸縮することができる。【０１１２】
図４の例においては、前記第１および第２補強部１，２の各上端１３，２３はシューレースが係合する係合部Ｈに連なっているが、図９Ａのように係合部Ｈに隣接していてもよい。前記各上端１３，２３が係合部Ｈに連なっている場合、前記各上端１３，２３の位置は、前記エリア４の上端からハトメ孔の下端までの間の位置に設定されてもよい。
図４の例において、前記第１および第２補強部１，２の各下端１４，２４は前記ソール８の上面８１に連なっているが、図９Ｂのようにソールの上面８１に隣接していてもよい。【０１１３】
図８Ｂは他の例の第１および第２補強部１，２を示す。
図８Ｂのように、第１および第２補強部１，２は屈曲部４６において角張った形状であってもよい。
図８Ｂにおいて、角α１よりも角α２は大きい。そのため、エリア４の幅４Ｗが最大となる部位は、エリア４の上端部４３よりも下端部４４に近い中間部４５に配置される。かかる配置において、エリア４の変形し易い部分は図１２Ｂのひずみの生じ易い領域に合致し易い。
かかる観点から図８Ｂのエリア４の幅４Ｗが最大となる部位は、斜め前方の上方に延びるエリア４の中央または中央よりも下方に配置されるのが好ましい。
なお、図６に示すように、角α１と角α２は互いに同じ大きさであってもよい。【０１１４】
図８Ｂに示すように、第１補強部１は屈曲部４６よりも上方の第１上部５１と、前記屈曲部４６よりも下方の第１下部５２とが前記屈曲部４６において互いに連なっている。また、第２補強部２は屈曲部４６よりも上方の第２上部５３と、前記屈曲部４６よりも下方の第２下部５４とが前記屈曲部４６において互いに連なっている。【０１１５】
図８Ｂにおいて、前記各部５１〜５４の中心線（一点鎖線で示す）がソールの接地面８Ｆ（図２）となす角Δ１〜Δ４は、それぞれ、同中心線が前記接地面８Ｆ（図２）に平行な仮想の水平線Ｌ８となす角Δ１〜Δ４で表されている。
前述の実施例において、両補強部１，２の傾きは、両補強部が接地面８Ｆ（図２）となす角αで表現された。前記両補強部１，２の傾きである角αは、下記の（１）式で表すことができる。
α＝（Δ１＋Δ２＋Δ３＋Δ４）／４  ・・・（１）
すなわち、ｎ個の各部５１〜５４の前記角Δ１〜Δ４の総和を前記「ｎ」で除した値が角αの値となる。前記角Δｉ＜９０°であってもよい。つまり、各角Δ１〜Δ４はいずれも９０°よりも小さくてもよい。また前記角ΔｉはΔｉ＞１０°であってもよい。つまり、角Δ１〜Δ４はいずれも１０°よりも大きくてもよい。【０１１６】
図１０は更に他の例を示す。
図１０（ａ）のように、第１補強部１の上端１３と第２補強部２の上端２３とは、各々、別々の係合部Ｈに連なっていてもよい。この場合、前記第１補強部の上端１３と第２補強部の上端２３とは離間している。また、第１補強部１の下端１４と第２補強部２の第２補強部２の下端２４とが境界部３８において互いに前記方向に離間していてもよい。【０１１７】
本例の場合、前記エリア４は第１補強部１、第２補強部２、ソール８の上面８１およびアッパー３の上縁３７で周囲を囲まれている。すなわち、エリア４は前記第１補強部１の包絡線１Ｌと前記第２補強部２の包絡線２Ｌとで挟まれた部分または囲まれた部分である。
【０１１８】
図１０（ｂ）のように、第１および第２補強部１，２の上端１３，２３が１つの係合部Ｈにのみ連なっていてもよい。一方、第１補強部の下端１４，２４において第１および第２補強部１，２は滑らかな円弧状に互いに連なっていてもよい。
また、屈曲部４６は滑らかな円弧状に形成されていてもよい。【０１１９】
図１０（ｃ）のように、２つの補強部の各上端１３，２３が１つの係合部Ｈに連なり、一方、２つの補強部の各下端１４，２４が互いに前後方向に離間していてもよい。【０１２０】
図１０（ｄ）のように、第１および第２補強部１，２はＳ字状に屈曲していてもよい。また、図１０（ｄ），（ｇ）および（ｈ）のように、第１補強部１が第２補強部２と同じ様に屈曲していてもよい。これらの場合、第１補強部１と第２補強部２とは互いに近似した形状となる。【０１２１】
これに対し、図１〜図９Ｂの例や図１０（ａ）〜（ｃ）の例では第１補強部１と第２補強部２とが図６の第１中心ラインＣ１を中心に互いに概ね線対称の形状となる。この場合、屈曲部４６において２つの互いに対向する内角α３，α４が共に９０°よりも大きく１８０°よりも小さい鈍角となる。【０１２２】
図１０（ａ）の２つの補強部の各上端１３，２３同士は図１０（ｅ）の別の補強部１０でＶ字状に連なっていてもよい。同様に、図１０（ａ）の下端１４，２４同士は図１０（ｅ）の別の補強部１０でＶ字状に連なっていてもよい。【０１２３】
図１０（ｆ）のように、第１および第２補強部１，２は一部において互いに平行に延びていてもよい。【０１２４】
図１０（ｇ）のように、第１および第２補強部１，２の他に第３補強部３Ａが設けられていてもよい。この場合においても、第１〜第３補強部１，２，３Ａは、それぞれ、係合部Ｈの近傍からソールの上面８１まで１つの直線に沿って延びておらず、屈曲した屈曲部４６を有している。【０１２５】
図４の例では第１および第２補強部１，２を透明なフィルム３４で覆ったが、かかるフィルム３４は必ずしも必要としない。第１および第２補強部１，２は接着剤と縫合糸によって柔軟材３０に付着されてもよい。【０１２６】
第１および第２補強部１，２が例えば伸び難い綿糸やナイロン糸で形成される場合、各図に示した第１および第２補強部１，２と同様な形状で、かつ、第１柔軟部３１よりも剛性の小さいフィルムや布が柔軟材３０の表面に前記各糸で縫合されていてもよい。【０１２７】
つぎに、図１３Ｂおよび図１３Ｃに基づいて前記柔軟材３０および前記補強部を含む仮想エリアＶＡの剛性の特性が説明される。【０１２８】
図１３Ｃにおいて、前記仮想エリアＶＡは前記仮想の直線ＳＬに沿って延びる一対の縦辺Ｓ１と前記仮想の直線ＳＬに直交する別の直線（図示せず）に沿った一対の横辺Ｓ２とで定義され、剛性の測定にはこの定義された方形の試験片Ｓを用いる。各補強部１，２の上方の第１端部１１，１２および下方の第２端部２１，２２を引張試験機（の把持部）１００で把んで前記仮想の直線ＳＬの延びる方向に引張荷重を負荷する。【０１２９】
なお、本例の場合、前記仮想の直線ＳＬは図６の第１中心ラインＣ１に一致する。また、試験片Ｓ（図１３Ｃ）は図１のアッパーから切り出したものである。【０１３０】
図１３Ｂは測定結果を示す。この場合、前記試験片Ｓの伸びが３％〜４％を超えた際に前記試験片Ｓの引張剛性が増大している。【０１３１】
つぎに、外反抑制の効果が図１５を用いて説明される。図１５において、Ｐｏｓｔは前記図１のようなアッパーを備えた靴であり、Ｐｒｅは改良前の靴である。【０１３２】
図１５において両者を比べると、図１の例に示す靴は、疲労しても外反角度の絶対値が差程大きくならないことが分かる。【０１３３】
以上のとおり、図面を参照しながら好適な実施例を説明したが、当業者であれば本発明を見て、自明な範囲で種々の変更および修正を容易に想定するであろう。
アッパーの下に配置されるソールは、いわゆるアウトソールのみを有していてもよい。被補強エリアは内側部および外側部に設けられてもよい。また、強化装置や踏まず部は設けられていなくてもよい。
シューレースが通る挿通孔は鳩目ではなく、ループ等であってもよい。
シューレースに代え、あるいは、シューレースに加えて、締付部材としてベルトが採用されてもよい。
柔軟材に含まれるメッシュ状の生地は異方性を有していなくてもよく、また、前後方向よりも上下方向に伸び易い異方性を有していてもよい。
したがって、そのような変更および修正は請求の範囲から定まる本発明の範囲内のものと解釈される。
【産業上の利用可能性】
【０１３４】
本発明はランニング用の靴の他、ウォーキングなどの種々の用途の靴に適用できる。
【符号の説明】
【０１３５】
１：第１補強部    ２：第２補強部
１１，１２：第１端部    １Ｅ：第１補強部の後縁    １Ｌ：第１包絡線
１３：第１補強部の上端    １４：第１補強部の下端    ２１，２２：第２端部        ２３：第２補強部の上端    ２４：第２補強部の下端    ２Ｅ：第２補強部の前縁
２Ｌ：第２包絡線
３：アッパー    ３７：上縁    ３Ｈ：貫通孔    ３０：柔軟材(Flexible member)    ３１〜３３：第１〜第３柔軟部    ３４：フィルム    ３５：内装材    ３６：裏打材
３８：境界部    ３９：舌片    ３Ｆ：柔軟材の表面
４：被補強エリア    ４１：第１部    ４２：第２部    ４３：上端部    ４４：下端部
４５：中間部    ４６：屈曲部    ４Ｌ：エリアの長さ    ４Ｗ：エリアの幅
４Ｆ：第１包絡線で定義される前縁    ４Ｒ：第２包絡線で定義される後縁
５１：第１上部    ５２：第１下部    ５３：第２上部    ５４：第２下部
７：履き口
８：ソール    ８０：ミッドソール    ８１：ソールの上面    ８２：インソール
８３：アウトソール    ８９：強化装置    ８Ｆ：接地面
１００：引張試験機
ＶＡ：仮想エリア
Ｂ１：第１中足骨    Ｂ１１：骨体    Ｂ１２：第１基節骨    Ｂ１３：内側楔状骨
Ｃ１：第１中心ライン    Ｃ２：第２中心ライン
Ｄ１：中心ラインが延びる方向    Ｄ２：直交する方向    
Ｆ：前方    ＦＥ：先端    Ｈ：係合部    Ｌ：仮想の水平線
Ｏ：母趾球
Ｏ１：第１屈曲点    Ｏ２：第２屈曲点    Ｏ３，Ｏ４：中点  
Ｒ：後方
Ｓ：試験片    ＳＬ：仮想の直線    Ｓ１：縦辺    Ｓ２：横辺    
Ｙ：上下方向    Ｘ：前後方向
α，α１，α２，α３，α４，Δｉ：角
【要約】
柔軟材（３０）は第１および第２補強部（１，２）で補強された被補強エリア（４）を包含し、エリアは第１補強部の後縁（１Ｅ）と、第２補強部の前縁（２Ｅ）で定義され、第１および第２補強部は切れ目なく、かつ、滑らかに連なっており、エリアは第１および第２補強部により周囲が完全に囲まれており、エリアの仮想の第１中心ライン（Ｃ１）は斜め前方の上方に向かって延び、第１中心ラインとソール（８）の接地面とのなす角（α）は４０°〜５５°程度である。【図１】
0005986700.tif 000002
【図２】
0005986700.tif 000003
【図３】
0005986700.tif 000004
【図４】
0005986700.tif 000005
【図５】
0005986700.tif 000006
【図６】
0005986700.tif 000007
【図７】
0005986700.tif 000008
【図８】
0005986700.tif 000009
【図９】
0005986700.tif 000010
【図１０】
0005986700.tif 000011
【図１１】
0005986700.tif 000012
【図１２】
0005986700.tif 000013
【図１３】
0005986700.tif 000014
【図１４】
0005986700.tif 000015
【図１５】
0005986700.tif 000016